(57)【特許請求の範囲】
【請求項１】
室内に向けて流れる空気流を発生させる第１送風機（５０）と、
前記室内から室外に流れる空気流を発生させる第２送風機（５２）と、
冷媒を吸入して圧縮して吐出する圧縮機（１０）、第１熱交換器（２０）、減圧器（３０）、および第２熱交換器（４０）を備え、前記圧縮機から吐出される冷媒を循環するヒートポンプ装置（４）と、
前記第１熱交換器が前記圧縮機から吐出される冷媒により前記第１送風機により発生される空気流を加熱し、前記減圧器が前記第１熱交換器を通過した冷媒を減圧し、前記第２熱交換器が前記第２送風機により発生される空気流から吸熱して前記減圧器によって減圧された冷媒を蒸発させる暖房運転を実施する暖房運転部（Ｓ１５０）と、
前記圧縮機から吐出される冷媒により前記第２熱交換器の温度を上昇させて前記第２熱交換器に着いた霜を融かす除霜運転を実施する除霜運転部（Ｓ１３０）と、
前記除霜運転の開始後、或いは前記暖房運転の停止後に、前記第２送風機の送風を停止、或いは前記第２送風機の送風量を前記暖房運転の実施時に比べて低下させる排気制御部（Ｓ１２１、Ｓ１８０）と、
前記室内からの空気流を吸入する内気吸入口（６１ａ）を有し、前記内気吸入口を介して吸入した空気流を前記第２熱交換器に向けて導く内気導入ダクト（６１）と、
前記室外からの空気流を吸入する外気吸入口（６２ａ）を有し、前記外気吸入口を介して吸入した空気流を前記第２熱交換器に向けて導く外気導入ダクト（６２）と、
前記室外に開口する排気口（６３ｂ）を有し、前記第２熱交換器を通過した空気流を前記排気口に導いて前記排気口から排出する排気ダクト（６３）と、
前記冷媒が前記内気導入ダクトおよび前記外気導入ダクトを通過した空気流から吸熱する前記第２熱交換器と、
前記第２熱交換器側から空気流を吸い込んで、この吸い込んだ空気流を前記排気口側に吹き出す前記第２送風機と、
前記室内から前記内気導入ダクトに導入する空気流を発生される内気導入送風機（５１）と、を備え、
前記暖房運転部は、前記排気ダクトを流れる空気量を前記内気導入ダクトを流れる空気量よりも大きくして、前記室外から前記外気導入ダクトに流れる空気流と前記室内から前記内気導入ダクトに流れる空気流とが前記第２熱交換器に流れるように前記第２送風機および前記内気導入送風機を制御し、
前記排気制御部は、前記除霜運転の開始後、或いは前記暖房運転の停止後に、前記室外から前記外気導入ダクトを通して前記第２熱交換器に空気流が流れることを停止させるように前記第２送風機および前記内気導入送風機を制御する、或いは前記室外から前記外気導入ダクトを通して前記第２熱交換器に流れる空気量を前記暖房運転の実施時に比べて低下させるように前記第２送風機および前記内気導入送風機を制御する空調装置。
【請求項２】
室内に向けて流れる空気流を発生させる第１送風機（５０）と、
前記室内から室外に流れる空気流を発生させる第２送風機（５２）と、
冷媒を吸入して圧縮して吐出する圧縮機（１０）、第１熱交換器（２０）、減圧器（３０）、および第２熱交換器（４０）を備え、前記圧縮機から吐出される冷媒を循環するヒートポンプ装置（４）と、
前記第１熱交換器が前記圧縮機から吐出される冷媒により前記第１送風機により発生される空気流を加熱し、前記減圧器が前記第１熱交換器を通過した冷媒を減圧し、前記第２熱交換器が前記第２送風機により発生される空気流から吸熱して前記減圧器によって減圧された冷媒を蒸発させる暖房運転を実施する暖房運転部（Ｓ１５０）と、
前記圧縮機から吐出される冷媒により前記第２熱交換器の温度を上昇させて前記第２熱交換器に着いた霜を融かす除霜運転を実施する除霜運転部（Ｓ１３０）と、
前記除霜運転の開始後、或いは前記暖房運転の停止後に、前記第２送風機の送風を停止、或いは前記第２送風機の送風量を前記暖房運転の実施時に比べて低下させる排気制御部（Ｓ１２１、Ｓ１８０）と、
前記第２熱交換器に対して空気流れ上流側、および前記第２熱交換器に対して空気流れ下流側のうち少なくとも一方に配置されて、前記空気流の温度を検出する温度検出部（８３）と、
前記温度検出部により検出される温度に基づいて、前記第２熱交換器に対して空気流れ下流側の温度が所定温度以下であるか否かを判定する判定部（Ｓ１７０）と、を備え、
前記排気制御部は、前記除霜運転の開始後、或いは前記暖房運転の停止後に、前記第２熱交換器に対して空気流れ下流側の温度が所定温度以下であると前記判定部が判定したとき、前記第２送風機の送風を停止、或いは前記第２送風機の送風量を前記暖房運転の実施時に比べて低下させる空調装置。
【請求項３】
室内に向けて流れる空気流を発生させる第１送風機（５０）と、
前記室内から室外に流れる空気流を発生させる第２送風機（５２）と、
冷媒を吸入して圧縮して吐出する圧縮機（１０）、第１熱交換器（２０）、減圧器（３０）、および第２熱交換器（４０）を備え、前記圧縮機から吐出される冷媒を循環するヒートポンプ装置（４）と、
前記第１熱交換器が前記圧縮機から吐出される冷媒により前記第１送風機により発生される空気流を加熱し、前記減圧器が前記第１熱交換器を通過した冷媒を減圧し、前記第２熱交換器が前記第２送風機により発生される空気流から吸熱して前記減圧器によって減圧された冷媒を蒸発させる暖房運転を実施する暖房運転部（Ｓ１５０）と、
前記圧縮機から吐出される冷媒により前記第２熱交換器の温度を上昇させて前記第２熱交換器に着いた霜を融かす除霜運転を実施する除霜運転部（Ｓ１３０）と、
前記除霜運転の開始後、或いは前記暖房運転の停止後に、前記第２送風機の送風を停止、或いは前記第２送風機の送風量を前記暖房運転の実施時に比べて低下させる排気制御部（Ｓ１２１、Ｓ１８０）と、
前記第２熱交換器の温度を検出する温度検出部（８２）と、
前記温度検出部により検出される温度に基づいて、前記第２熱交換器に対して空気流れ下流側の温度が所定温度以下であるか否かを判定する判定部（Ｓ１７０）と、を備え、
前記排気制御部は、前記除霜運転の開始後、或いは前記暖房運転の停止後に、前記第２熱交換器に対して空気流れ下流側の温度が所定温度以下であると前記判定部が判定したとき、前記第２送風機の送風を停止、或いは前記第２送風機の送風量を前記暖房運転の実施時に比べて低下させる空調装置。
【請求項４】
前記室内からの空気流を吸入する内気吸入口（６１ａ）を有し、前記内気吸入口を介して吸入した空気流を前記第２熱交換器に向けて導く内気導入ダクト（６１）と、
前記室外からの空気流を吸入する外気吸入口（６２ａ）を有し、前記外気吸入口を介して吸入した空気流を前記第２熱交換器に向けて導く外気導入ダクト（６２）と、
前記室外に開口する排気口（６３ｂ）を有し、前記第２熱交換器を通過した空気流を前記排気口に導いて前記排気口から排出する排気ダクト（６３）と、
前記冷媒が前記内気導入ダクトおよび前記外気導入ダクトを通過した空気流から吸熱する前記第２熱交換器と、
前記第２熱交換器側から空気流を吸い込んで、この吸い込んだ空気流を前記排気口側に吹き出す前記第２送風機と、
前記室内から前記内気導入ダクトに導入する空気流を発生される内気導入送風機（５１）と、を備え、
前記暖房運転部は、前記排気ダクトを流れる空気量を前記内気導入ダクトを流れる空気量よりも大きくして、前記室外から前記外気導入ダクトに流れる空気流と前記室内から前記内気導入ダクトに流れる空気流とが前記第２熱交換器に流れるように前記第２送風機および前記内気導入送風機を制御し、
前記排気制御部は、前記除霜運転の開始後、或いは前記暖房運転の停止後に、前記室外から前記外気導入ダクトを通して前記第２熱交換器に空気流が流れることを停止させるように前記第２送風機および前記内気導入送風機を制御する、或いは前記室外から前記外気導入ダクトを通して前記第２熱交換器に流れる空気量を前記暖房運転の実施時に比べて低下させるように前記第２送風機および前記内気導入送風機を制御する請求項２または３に記載の空調装置。
【請求項５】
前記排気制御部は、前記除霜運転の開始後、或いは前記暖房運転の停止後に、所定期間に亘って、前記第２送風機の送風を停止、或いは前記第２送風機の送風量を前記暖房運転の実施時に比べて低下させる請求項１ないし４のいずれか１つに記載の空調装置。
【請求項６】
前記減圧器は、前記第１熱交換器および前記第２熱交換器の間の冷媒流路の断面積を調整可能に構成されて、かつ前記冷媒流路の断面積を調整して前記冷媒流路を絞ることにより前記第１熱交換器から前記第２熱交換器に流れる冷媒を減圧するものであり、
前記除霜運転部は、前記減圧器を制御して前記暖房運転部の実施時に比べて前記冷媒流路の断面積を大きくして、前記圧縮機から吐出されて前記第２熱交換器および前記減圧器を通過した冷媒により前記第２熱交換器の温度を上昇させて前記第２熱交換器に着いた霜を融かす除霜運転を実施する請求項１ないし５のいずれか１つに記載の空調装置。
【請求項７】
前記冷媒の出口および入口を兼ねる第１出入口（２０ｃ）および第２出入口（２０ｄ）を有する前記第１熱交換器と、
前記冷媒の出口および入口を兼ねる第１出入口（４０ｄ）および第２出入口（４０ｃ）を有する前記第２熱交換器と、
前記圧縮機の冷媒吐出口に接続されて前記圧縮機の冷媒吐出口から吐出される冷媒が入る弁入口（９１）と、前記圧縮機の冷媒吸入口に接続されて前記圧縮機の冷媒吸入口に前記冷媒を流す弁出口（９２）と、前記第１熱交換器の第１出入口に接続されて前記冷媒の出口および入口を兼ねる第１弁出入口（９４）と、前記第２熱交換器の第１出入口に接続されて前記冷媒の出口および入口を兼ねる第２弁出入口（９３）とを有し、前記第１弁出入口および前記第２弁出入口のうちいずれか一方の弁出入口と前記弁入口とを接続し、他方の弁出入口と前記弁出口とを接続する四方弁（９０）と、
前記第１熱交換器の第２出入口と前記第２熱交換器の第２出入口との間に配置されている前記減圧器と、を備え、
前記暖房運転部は、前記四方弁が前記第１弁出入口と前記弁入口とを接続し、かつ前記第２弁出入口と前記弁出口とを接続した状態で、前記第１熱交換器が前記圧縮機から前記四方弁の前記弁入口および前記第１弁出入口を通して吐出される冷媒により前記第１送風機により発生される空気流を加熱し、前記減圧器が前記第１熱交換器を通過した冷媒を減圧し、前記第２熱交換器が前記第２送風機により発生される空気流から吸熱して前記減圧器によって減圧された冷媒を蒸発させる暖房運転を実施し、
前記除霜運転部は、前記四方弁が前記第２弁出入口と前記弁入口とを接続し、かつ前記第１弁出入口と前記弁出口とを接続した状態で、前記第２熱交換器が前記圧縮機から前記四方弁の前記弁入口および前記第２弁出入口を通して吐出される冷媒により前記第２熱交換器の温度を上昇させて前記第２熱交換器に着いた霜を融かす請求項１ないし５のいずれか１つに記載の空調装置。
【発明の詳細な説明】
【技術分野】
【０００１】
本発明は、室内を空調する空調装置に関するものである。
【背景技術】
【０００２】
従来、住宅用空調装置において、圧縮機、凝縮器、減圧器、および蒸発器を有するヒートポンプ装置が暖房運転して室内を暖房するものがある（例えば、特許文献１参照）。
【０００３】
住宅用空調装置には、室外から凝縮器を通過して室内に流れる空気流を発生させる第１送風機と、室内から蒸発器、および排気口を通して室外に流れる空気流を発生させる第２送風機とが設けられている。このため、第１送風機と第２送風機とによって室内の換気を行うことになる。
【０００４】
第２送風機は、蒸発器に対して排気口側に配置されている。蒸発器および排気口の間には、蒸発器を通過した空気流を排気口に導くための排気ダクトが設けられている。
【０００５】
凝縮器は、第１送風機から送風される空気流を圧縮機から吐出される高温高圧冷媒により加熱する。このため、凝縮器から室内に温風が吹き出されて室内が暖房される。減圧器は、凝縮器を通過した冷媒を減圧する。蒸発器は、第２送風機から送風される空気流から吸熱して減圧器によって減圧された冷媒を蒸発させる。これにより、室内を換気しつつ、蒸発器が第２送風機からの送風される空気から熱を回収して暖房運転の効率を向上させることができる。
【先行技術文献】
【特許文献】
【０００６】
【特許文献１】特開２００９−８３１７号公報
【発明の概要】
【発明が解決しようとする課題】
【０００７】
本発明者は、上記特許文献１の空調装置において、蒸発器で冷媒を蒸発させる熱が不足する場合に、室内から導入される内気に加えて室外から導入された外気を蒸発器に通過させて、蒸発器にて外気からも吸熱して冷媒を蒸発させることを検討した。
【０００８】
冬期などでは、外気の温度が低い場合には、蒸発器が空気流から吸熱する際に蒸発器の表面温度が零度以下になる場合がある。この場合、蒸発器表面には、空気流に含まれる水蒸気が氷結して霜が生じ、その霜が蒸発器の吸熱作用を妨げる原因になる。
【０００９】
この場合、圧縮機から吐出される高温高圧冷媒を蒸発器に供給して蒸発器表面に着いた霜を融かす除霜運転を実施することが一般的である。
【００１０】
しかし、除霜運転の実施中に、室内を換気するために、第２送風機が室内からの高温高湿の室内空気を蒸発器を通過して室外に流すと、蒸発器では冷媒が室内空気から吸熱せず、室内空気に含まれる水蒸気が蒸発器で凝縮しない。このため、空気流は、水蒸気を含んだ状態で蒸発器を通過して、排気ダクトや第２送風機に流れる。
【００１１】
このとき、排気ダクトや第２送風機周囲の温度は除霜運転前の暖房運転で低くなっていると、空気流に含まれる水蒸気は、排気ダクトや第２送風機等で凝縮して排気ダクトや第２送風機の電動モータやファン等に結露が生じる。
【００１２】
その後、除霜運転が終了して暖房運転が開始されると、室内から導入される室内空気と室外から導入された外気とを含む空気流が蒸発器にて冷媒によって冷却され、この冷却された空気流が第２送風機や排気ダクトを通過して排気口から排出される。このため、排気ダクトや第２送風機等の温度は、蒸発器を通過した冷風等によって零度以下になる場合がある。この場合、排気ダクトや第２送風機の電動モータ、ファン等に生じた露が氷結して氷が生じる。
【００１３】
このとき、第２送風機では、電動モータ、ファン等に生じた氷によってファンの回転が妨げられる問題が生じる。さらに、排気ダクトにおいて蒸発器に生じるドレン水を排出する排水路が設けられている場合には、排気ダクトの排水路が氷によって塞がれる、といった問題が生じる。
【００１４】
また、このような問題は、暖房運転の停止後に、室内を換気するために、第２送風機を作動させる場合にも、生じる。
【００１５】
具体的には、暖房運転の実施時には、上述の如く、蒸発器によって冷却され空気流が第２送風機や排気ダクトを冷却するため、排気ダクトや第２送風機等の温度は、零度以下になる場合がある。このため、暖房運転の停止後に、第２送風機を作動させると、室内からの高温高湿の空気流が蒸発器を通過して排気ダクトや第２送風機に流れる。したがって、排気ダクトや第２送風機（すなわち、蒸発器に対して空気流れ下流側）では、空気流に含まれる水蒸気が凝縮して氷結して氷が生じる。よって、氷が第２送風機のファンの回転を妨げたり、排気ダクトの排水路を塞いだりする問題が生じる。
【００１６】
本発明は上記点に鑑みて、蒸発器に対して空気流れ下流側に、結露、或いは氷結が生じることを抑制するようにした空調装置を提供することを目的とする。
【課題を解決するための手段】
【００１７】
上記目的を達成するため、請求項１に記載の発明では、室内に向けて流れる空気流を発生させる第１送風機（５０）と、
室内から室外に流れる空気流を発生させる第２送風機（５２）と、
冷媒を吸入して圧縮して吐出する圧縮機（１０）、第１熱交換器（２０）、減圧器（３０）、および第２熱交換器（４０）を備え、圧縮機から吐出される冷媒を循環するヒートポンプ装置（４）と、
第１熱交換器が圧縮機から吐出される冷媒により第１送風機により発生される空気流を加熱し、減圧器が第１熱交換器を通過した冷媒を減圧し、第２熱交換器が第２送風機により発生される空気流から吸熱して減圧器によって減圧された冷媒を蒸発させる暖房運転を実施する暖房運転部（Ｓ１５０）と、
圧縮機から吐出される冷媒により第２熱交換器の温度を上昇させて第２熱交換器に着いた霜を融かす除霜運転を実施する除霜運転部（Ｓ１３０）と、
除霜運転の開始後、或いは暖房運転の停止後に、第２送風機の送風を停止、或いは第２送風機の送風量を暖房運転の実施時に比べて低下させる排気制御部（Ｓ１２１、Ｓ１８０）と、
室内からの空気流を吸入する内気吸入口（６１ａ）を有し、内気吸入口を介して吸入した空気流を第２熱交換器に向けて導く内気導入ダクト（６１）と、
室外からの空気流を吸入する外気吸入口（６２ａ）を有し、外気吸入口を介して吸入した空気流を第２熱交換器に向けて導く外気導入ダクト（６２）と、
室外に開口する排気口（６３ｂ）を有し、第２熱交換器を通過した空気流を排気口に導いて排気口から排出する排気ダクト（６３）と、
冷媒が内気導入ダクトおよび外気導入ダクトを通過した空気流から吸熱する第２熱交換器と、
第２熱交換器側から空気流を吸い込んで、この吸い込んだ空気流を排気口側に吹き出す第２送風機と、
室内から内気導入ダクトに導入する空気流を発生される内気導入送風機（５１）と、を備え、
暖房運転部は、排気ダクトを流れる空気量を内気導入ダクトを流れる空気量よりも大きくして、室外から外気導入ダクトに流れる空気流と室内から内気導入ダクトに流れる空気流とが第２熱交換器に流れるように第２送風機および内気導入送風機を制御し、
排気制御部は、除霜運転の開始後、或いは暖房運転の停止後に、室外から外気導入ダクトを通して第２熱交換器に空気流が流れることを停止させるように第２送風機および内気導入送風機を制御する、或いは室外から外気導入ダクトを通して第２熱交換器に流れる空気量を暖房運転の実施時に比べて低下させるように第２送風機および内気導入送風機を制御する。
【００１８】
請求項１に記載の発明によれば、除霜運転の開始後、或いは暖房運転の停止後に、水蒸気を含んだ空気流が室内から第２熱交換器に対して空気流れ下流側に流れることが抑制される。したがって、第２熱交換器に対して空気流れ下流側に結露、或いは氷結が生じることが抑制される。
請求項６に記載の発明では、減圧器は、第１熱交換器および第２熱交換器の間の冷媒流路の断面積を調整可能に構成されて、かつ冷媒流路の断面積を調整して冷媒流路を絞ることにより第１熱交換器から第２熱交換器に流れる冷媒を減圧するものであり、
除霜運転部は、減圧器を制御して暖房運転部の実施時に比べて冷媒流路の断面積を大きくして、圧縮機から吐出されて第２熱交換器および減圧器を通過した冷媒により第２熱交換器の温度を上昇させて第２熱交換器に着いた霜を融かす除霜運転を実施する。
但し、冷媒流路の断面積とは、冷媒流路のうち冷媒流れ方向に対して直交する断面の面積である。
【００２１】
なお、この欄および特許請求の範囲で記載した各手段の括弧内の符号は、後述する実施形態に記載の具体的手段との対応関係を示すものである。
【図面の簡単な説明】
【００２２】
【図１】本発明の第１実施形態における住宅用空調装置の全体構成を示す図である。
【図２】図１の住宅用空調装置の電気的構成を示す図である。
【図３】図１の電子制御装置の暖房運転処理を示すフローチャートである。
【図４】本発明の第２実施形態の電子制御装置の暖房運転処理を示すフローチャートである。
【図５】本発明の第３実施形態における住宅用空調装置の全体構成を示す図である。
【図６】図５の住宅用空調装置の電気的構成を示す図である。
【図７】図６の電子制御装置の暖房運転処理を示すフローチャートである。
【図８】他の実施形態における住宅用空調装置の全体構成を示す図である。
【発明を実施するための形態】
【００２３】
以下、本発明の実施形態について図に基づいて説明する。なお、以下の各実施形態相互において、互いに同一もしくは均等である部分には、説明の簡略化を図るべく、図中、同一符号を付してある。
【００２４】
（第１実施形態）
図１に本発明の第１実施形態の住宅用空調装置１の概略構成を示す。
【００２５】
住宅用空調装置１は、住宅２の室内３の空調と換気を実施するものであって、電動圧縮機１０、熱交換器２０、４０、電動膨張弁３０、電動ファン５０、５１、５２、内外気吸入ダクト６０、内気導入ダクト６１、外気導入ダクト６２、排気ダクト６３、およびドア７０、７１を備える。
【００２６】
電動圧縮機１０は、熱交換器２０、４０、電動膨張弁３０とともに、冷媒配管で閉回路（すなわち、冷凍サイクル）を構成している。すなわち、電動圧縮機１０、熱交換器２０、４０、および電動膨張弁３０は、冷媒を循環させるヒートポンプ装置４を構成している。
【００２７】
電動圧縮機１０は、冷媒を吸入して圧縮して吐出する圧縮機構と、圧縮機構を駆動する電動モータとから構成されている。
【００２８】
熱交換器２０は、電動ファン５０から送風される空気流を電動圧縮機１０から吐出される高圧高温冷媒によって加熱する放熱器である。熱交換器２０の入口２０ａは、電動圧縮機１０の冷媒吐出口１０ｂに接続されている。熱交換器２０は、内外気吸入ダクト６０のうち室内吹出口６０ｃ側に配置されている。
【００２９】
熱交換器４０は、電動ファン５１から送風される空気流から吸熱して電動膨張弁３０から流れる冷媒を蒸発させる蒸発器である。熱交換器４０の出口４０ｂは、電動圧縮機１０の冷媒吸入口１０ａに接続されている。熱交換器４０は、排気ダクト６３のうち吸入口６３ａ側に配置されている。
【００３０】
電動膨張弁３０は、熱交換器２０から流れる冷媒を減圧膨張させる減圧器である。具体的には、電動膨張弁３０は、熱交換器２０から熱交換器４０に流れる冷媒流路の流路断面積を調整する弁体と、この弁体を駆動する電動アクチュエータを備える。電動膨張弁３０は、熱交換器２０の出口２０ｂと熱交換器４０の入口４０ａとの間に接続されている。
【００３１】
電動ファン５０は、内外気吸入ダクト６０の内気吸気口６０ａおよび外気吸気口６０ｂのうち少なくとも一方から室内吹出口６０ｃに流れる空気流を発生させる第１送風機である。電動ファン５０は、内外気吸入ダクト６０のうち室内吹出口６０ｃ側に配置されている。
【００３２】
内外気吸入ダクト６０は、内気吸気口６０ａ、外気吸気口６０ｂ、および室内吹出口６０ｃを形成し、内気吸気口６０ａおよび外気吸気口６０ｂのうち少なくとも一方から室内吹出口６０ｃに空気流を導くためのダクトである。内気吸気口６０ａおよび室内吹出口６０ｃは、それぞれ、室内３に開口されている。外気吸気口６０ｂは、室外に開口されている。
【００３３】
内気導入ダクト６１は、内気導入口６１ａおよび内気排気口６１ｂを形成し、室内３から内気導入口６１ａを介して導入された空気流を内気排気口６１ｂに導くためのダクトである。内気導入口６１ａは、室内３に開口されている。内気排気口６１ｂは、熱交換器４０に向けて開口されている。
【００３４】
外気導入ダクト６２は、外気出入口６２ａ、６２ｂを形成し、室外から外気出入口６２ａを介して導入された空気流を外気出入口６２ｂに導くためのダクトである。外気出入口６２ａ、６２ｂは、外気の出口および入口を兼ねる開口部である。外気出入口６２ａは、室外に開口されている。外気出入口６２ｂは、熱交換器４０に向けて開口されている。
【００３５】
排気ダクト６３は、吸入口６３ａおよび排気口６３ｂを形成し、吸入口６３ａから導入した空気流を排気口６３ｂに導くためのダクトである。吸入口６３ａは、外気導入ダクト６２の外気出入口６２ｂと内気導入ダクト６１の内気排気口６１ｂとに接続されている。排気口６３ｂは、室外に開口されている。本実施形態の排気ダクト６３は、熱交換器４０を通過した空気流を排気口６３ｂを介して室外に導く役割を果たす。
【００３６】
電動ファン５０、５１、５２は、ファンおよびファンを駆動する電動モータから構成されている。電動ファン５０は、内外気吸入ダクト６０のうち熱交換器２０および室内吹出口６０ｃの間に配置されている。電動ファン５１は、内気導入送風機として、内気導入ダクト６１のうち内気導入口６１ａ側に配置されている。
【００３７】
電動ファン５２は、排気ダクト６３のうち排気口６３ｂ側に配置されている第２送風機である。ドア７０は、内外気吸入ダクト６０のうち内気吸気口６０ａ側に配置されて、内気吸気口６０ａを開閉可能に内外気吸入ダクト６０によって支持されている。ドア７１は、外気出入口６２ｂ側に配置され、外気出入口６２ｂを開閉可能に外気導入ダクト６２によって支持されている。
【００３８】
なお、本実施形態の電動圧縮機１０、熱交換器２０、４０、電動膨張弁３０、電動ファン５０、５１、５２、内外気吸入ダクト６０、内気導入ダクト６１、外気導入ダクト６２、排気ダクト６３、およびドア７０、７１は、一体化されて住宅２内に配置されている。
【００３９】
次に、本実施形態の住宅用空調装置１の電気的構成について図２を参照して説明する。
【００４０】
住宅用空調装置１は、図２に示すように、電子制御装置８０、リモコン８１、および温度センサ８２、８３、８４、８５を備える。電子制御装置８０は、マイクロコンピュータ、メモリ、カウンタ等から構成されて、メモリに予め記憶されたコンピュータプログラムにしたがって、暖房運転処理を実行する。
【００４１】
電子制御装置８０は、暖房運転処理の実行に伴って、リモコン８１の出力信号、および温度センサ８２、８３、８４、８５の出力信号に基づいて、電動圧縮機１０、電動膨張弁３０、電動ファン５０、５１、５２、およびドア駆動用電動モータ７０ａ、７１ａを制御する。
【００４２】
ドア駆動用電動モータ７０ａは、ドア７０を回転駆動する電動モータである。ドア駆動用電動モータ７１ａは、ドア７１を回転駆動する電動モータである。温度センサ８４は、室内３の温度を検出する。温度センサ８２は、熱交換器４０の表面温度を検出する。さらに、温度センサ８３は、温度検出部として、熱交換器４０に対して空気流れ下流側の表面温度を検出する。温度センサ８５は、室内外の温度（以下、外気温度という）を検出する。
【００４３】
リモコン８１は、暖房運転処理の開始およびその停止させる操作を受けるスイッチ、室内３の換気風量を設定させるスイッチ、室内３の目標温度である設定温度Ｔｓｅｔを設定させるスイッチ、ドア７０の開度を設定させるスイッチ、並びに、換気運転処理の開始およびその停止させる操作を受けるスイッチ等を備える。
【００４４】
換気運転処理とは、電子制御装置８０がドア駆動用電動モータ７１ａを駆動してドア７１によって内外気吸入ダクト６２の外気出入口６２ｂを閉じて、さらに電動ファン５２を停止し、かつ電動ファン５０、５１を駆動する処理である。
【００４５】
この場合、電動ファン５０は、室外から外気吸気口６０ｂを介して内外気吸入ダクト６０に空気流を吸い込んで室内吹出口６０ｃから室内３に吹き出す。このとき、電動ファン５１は、室内３から内気導入口６１ａを通して内気導入ダクト６１内に空気流を吸い込んで内気排気口６１ｂ側に吹き出す。このため、この吹き出された空気流は吸入口６３ａから排気ダクト６３を通して排気口６３ｂから室外に流れる。このことにより、室内３の換気が行われることになる。
【００４６】
次に、本実施形態の電子制御装置８０の暖房運転処理について図３を参照して説明する。
【００４７】
図３は電子制御装置８０の暖房運転処理を示すフローチャートである。電子制御装置８０は、図３のフローチャートにしたがって、暖房運転処理を実行する。換気運転処理が実施されているときに、使用者がリモコン８１に対して暖房運転を開始させるために操作すると、暖房運転処理の実行が開始される。
【００４８】
まず、ステップ１００において、除霜運転を開始させるべきか否かを判定する。具体的には、温度センサ８２の検出温度に基づいて、熱交換器４０の表面温度が所定温度（例えば、外気温度−１０℃）以下であるか否かを判定する。外気温度は、温度センサ８５によって検出される。
【００４９】
このとき、熱交換器４０の表面温度が所定温度以下であるとき、除霜運転を開始させるべきであるとしてステップ１００でＹＥＳと判定する。
【００５０】
次に、ステップ１１０において、温度センサ８３の検出温度に基づいて、熱交換器４０に対して空気流れ下流側の温度が所定温度（例えば、零℃）以下であるか否かを判定する。
【００５１】
このとき、熱交換器４０に対して空気流れ下流側の温度が所定温度よりも高いとしてＮＯと判定したときには、電子制御装置８０が電動ファン５０、５１、５２を制御するとともに、ドア駆動用電動モータ７１ａを介してドア７１を制御して、外気導入ダクト６２から熱交換器４０に外気が流れることが停止された状態で室内３の換気が実施される（ステップ１２０）。
具体的には、電子制御装置８０がドア駆動用電動モータ７１ａを介してドア７１を駆動して内外気吸入ダクト６０の外気出入口６２ｂを閉じる。
これに加えて、電子制御装置８０が電動ファン５０、５１を駆動して、電動ファン５２を停止する。このため、電動ファン５０は、室外から外気吸気口６０ｂを介して内外気吸入ダクト６０に空気流を吸い込んでこの吸い込んだ空気流（図１中矢印Ａ１参照）を室内吹出口６０ｃから室内３に吹き出す。
【００５２】
電動ファン５１は、室内３から内気導入口６１ａを通して内気導入ダクト６１内に矢印Ａ２の如く空気流を吸い込んで内気排気口６１ｂ側に吹き出す。この吹き出された空気流は矢印Ａ３の如く、吸入口６３ａから排気ダクト６３を通して排気口６３ｂから室外に流れる。
【００５３】
以上により、内気導入ダクト６１のみからの空気流が熱交換器４０に流れる。
【００５４】
さらに、電子制御装置８０が電動圧縮機１０および電動膨張弁３０を制御して除霜運転を開始する（ステップ１３０）。
【００５５】
この際に、電動膨張弁３０では、弁体が電動アクチュエータによって駆動されて、熱交換器２０、４０の間の冷媒流路の流路断面積を調整して暖房運転の実施時の流路断面積よりも大きくする。冷媒流路の流路断面積とは、冷媒流路のうち冷媒流れ方向に対して直交する断面の面積である。
【００５６】
このとき、電動圧縮機１０が熱交換器４０から冷媒を吸入して熱交換器２０に吐出する。熱交換器２０を通過した冷媒は、電動膨張弁３０で暖房運転時よりも少ない量減圧されて熱交換器４０に流れる。このとき、冷媒温度は０℃よりも高くなるため、熱交換器４０の表面に付いた霜が融ける。
【００５７】
そして、熱交換器４０を通過した冷媒は、電動圧縮機１０によって吸入される。
【００５８】
また、上記ステップ１１０において、熱交換器４０に対して空気流れ下流側の温度が所定温度以下であるときには、ＹＥＳと判定する。この場合、ステップ１２１において、排気制御部として、電動ファン５０、５１、５２を停止するとともに、ドア駆動用電動モータ７１ａを介してドア７１を駆動してドア７１によって外気吸入ダクト６０の外気出入口６２ｂを閉じる。
このことにより、外気導入ダクト６２から熱交換器４０に外気が流れることを停止されるとともに、室内３の換気が停止される。
【００５９】
具体的には、室外からの空気が外気吸気口６０ｂ、内外気吸入ダクト６０、および室内吹出口６０ｃを介して室内３に流れることが停止される。
【００６０】
さらに、室内３からの空気流が内気導入口６１ａ、内気導入ダクト６１、内気排気口６１ｂ、吸入口６３ａ、排気ダクト６３、および排気口６３ｂを通して室外に流れることが停止される。
【００６１】
次のステップ１３０において、除霜運転部として、上述と同様に、電動圧縮機１０および電動膨張弁３０を制御して除霜運転を実施する。
【００６２】
このような除霜運転が実施されると、ステップ１４０において、除霜運転を終了すべきか否かを判定する。具体的には、温度センサ８２の検出温度に基づいて、熱交換器４０の表面温度が所定温度（例えば、５℃）よりも高いか否かを判定する。
【００６３】
このとき、熱交換器４０の表面温度が所定温度以下であるとき、除霜運転を継続すべきであるとしてステップ１４０でＮＯと判定して、ステップ１４０に戻る。このため、熱交換器４０の表面温度が所定温度以下である限り、ステップ１４０のＮＯ判定を繰り返す。
【００６４】
熱交換器４０の表面温度が所定温度よりも高くなると、除霜運転を停止すべきであるとしてステップ１４０でＹＥＳと判定する。
【００６５】
すると、ステップ１５０に移行して、電動ファン５０、５１、５２を制御するとともに、ドア駆動用電動モータ７１ａを介してドア７１を制御して、外気導入ダクト６２から熱交換器４０に外気が流れることを開始するとともに、室内３の換気を開始する。
【００６６】
具体的には、電動ファン５０は、室外から外気吸気口６０ｂを介して内外気吸入ダクト６０に空気流を吸い込んでこの吸い込んだ空気流（図１中矢印Ａ１参照）を室内吹出口６０ｃから室内３に吹き出す。
【００６７】
このとき、電子制御装置８０がドア駆動用電動モータ７１ａを介してドア７１を駆動して外気吸入ダクト６０の外気出入口６２ｂを開ける。
これに加えて、電子制御装置８０が電動ファン５２の送風量を電動ファン５１の送風量よりも大きくなるように電動ファン５１、５２を制御する。
【００６８】
電動ファン５１は、室内３から内気導入口６１ａを通して内気導入ダクト６１内に矢印Ａ２の如く空気流を吸い込んで内気排気口６１ｂ側に吹き出す。そして、電動ファン５２は、吸入口６３ａから排気ダクト６３を通して排気口６３ｂに向けて流れる空気流を発生させる。
【００６９】
このため、室外から、矢印Ａ５の如く、外気導入ダクト６２を通して流れる空気流と、室内３から、矢印Ａ２の如く、内気導入ダクト６１を通して流れる空気流とが合流されてこの合流された空気流は、熱交換器４０、電動ファン５２、および排気ダクト６３を通して室外に流れる。
【００７０】
さらに、ステップ１５０において、暖房運転部として、電動圧縮機１０および電動膨張弁３０を制御して暖房運転を除霜運転に代えて開始する。
【００７１】
具体的には、電動膨張弁３０では、弁体が電動アクチュエータによって駆動されて、熱交換器２０、４０の間の冷媒流路の流路断面積が調整されて除霜運転の実施時の流路断面積よりも小さくなる。つまり、電動膨張弁３０が、熱交換器２０、４０の間の冷媒流路を絞ることになる。
【００７２】
このとき、電動圧縮機１０は、熱交換器４０の出口４０ｂから冷媒を吸入して圧縮して吐出する。この吐出された高温高圧冷媒は、熱交換器２０に流れる。このため、高温高圧冷媒は、熱交換器２０を通過する空気流を加熱する。この加熱された空気流は温風として室内３に流れる。
【００７３】
一方、熱交換器２０を通過した冷媒は、電動膨張弁３０で減圧・膨脹して熱交換器４０に流れる。このため、熱交換器４０では、冷媒が空気流から吸熱して蒸発する。すなわち、熱交換器４０では空気流が冷媒により冷却されてこの冷却された空気流が電動ファン５２、および排気口６３ｂから室外に流れる。
【００７４】
その後、電子制御装置８０は、次の（ａ）、（ｂ）の判定によって暖房運転を停止させるべきか否かについて判定する（ステップ１６０）。
（ａ）使用者がリモコン８１に対して暖房運転を停止させるために操作したか否かを判定する。
（ｂ）温度センサ８４の検出温度に基づいて、室内３の温度が設定温度Ｔｓｅｔに到達したか否かを判定する。
【００７５】
例えば、使用者がリモコン８１に対して暖房運転を停止させるために操作したとき、および室内３の温度が設定温度Ｔｓｅｔに到達したときのうちいずれか一方のときには、暖房運転を停止させるべきであるとしてステップ１６０でＹＥＳと判定する。
【００７６】
一方、使用者がリモコン８１に対して暖房運転を停止させるための操作をしていないとき、および室内３の温度が設定温度Ｔｓｅｔに到達していないときのうちいずれか一方のときには、暖房運転を継続させるべきであるとしてステップ１６０でＮＯと判定する。
【００７７】
このようなステップ１６０において、暖房運転を継続させるべきであるとしてＮＯと判定すると、ステップ１００に戻る。
【００７８】
このため、熱交換器４０の表面温度が所定温度（例えば、外気温度−１０℃）以下である限り、ステップ１００のＹＥＳ判定、ステップ１１０の判定処理、ステップ１２１の外気導入停止・換気停止処理（或いは、ステップ１２０の外気導入停止）、ステップ１３０の除霜運転、ステップ１４０の判定処理、ステップ１５０の外気導入開始・換気開始・暖房運転開始処理、および、ステップ１６０のＮＯ処理を繰り返す。このため、除霜運転と暖房運転とを繰り返すことになる。
【００７９】
その後、使用者がリモコン８１に対して暖房運転を停止させるために操作したとき、或いは、室内３の温度が設定温度Ｔｓｅｔに到達したときには、暖房運転を停止させるべきであるとして、暖房運転を停止させるべきとしてステップ１６０でＹＥＳと判定する。
【００８０】
次に、ステップ１７０において、判定部として、温度センサ８３の出力信号に基づいて、熱交換器４０に対して空気流れ下流側部品の温度が所定温度以下であるか否かを判定する。所定温度は、例えば、零度であって、電動ファン５２および排気ダクト６３に生じた露が氷結するか否かを判定するための温度である。熱交換器４０に対して空気流れ下流側部品とは、電動ファン５２、および排気ダクト６３のうち熱交換器４０に対して空気流れ下流側を意味する。
【００８１】
このとき、熱交換器４０に対して空気流れ下流側の温度が所定温度よりも高いときには、ステップ１７０でＮＯと判定する。
すると、電子制御装置８０が、次のステップ１８２において、図３のステップ１２０と同様に、電動ファン５０、５１を駆動するとともに、ドア駆動用電動モータ７１ａを介してドア７１を駆動して外気導入ダクト６２の外気出入口６２ｂを閉じる。このことにより、外気導入ダクト６２から熱交換器４０に外気が流れることが停止された状態で室内３の換気が継続される。
【００８２】
これに加えて、電子制御装置８０が電動圧縮機１０を停止してヒートポンプ装置４の運転を停止して、ステップ１９０に移行する。
【００８３】
上記ステップ１７０において、熱交換器４０に対して空気流れ下流側の温度が所定温度以下であるときには、ＹＥＳと判定する。これに伴い、ステップ１８０において、上記ステップ１２１と同様に、排気制御部として、電動ファン５０、５１、５２を停止するとともに、ドア駆動用電動モータ７１ａを介してドア７１を制御して外気導入ダクト６２の外気出入口６２ｂを閉じる。このため、外気導入ダクト６２から熱交換器４０に外気が流れることが停止され、かつ車室３内の換気が停止されることになる。これに加えて、電子制御装置８０が電動圧縮機１０を停止してヒートポンプ装置４の運転を停止する。
【００８４】
その後、熱交換器４０に対して空気流れ下流側部品には周囲の空気等から熱が伝わると、熱交換器４０に対して空気流れ下流側部品の温度が徐々に上昇する。
【００８５】
その後、ステップ１８１において、温度センサ８３の出力信号に基づいて、熱交換器４０に対して空気流れ下流側の温度が所定温度（例えば、１５℃）よりも高いか否かを判定する。
【００８６】
このとき、熱交換器４０に対して空気流れ下流側の温度が所定温度（例えば、１５℃）以下であるときには、ステップ１８１でＮＯと判定してステップ１８１に戻る。このため、熱交換器４０に対して空気流れ下流側部品の温度が所定温度以下である限り、ステップ１８１でＮＯ判定を繰り返す。その後、熱交換器４０に対して空気流れ下流側の温度が所定温度よりも高くなると、ステップ１８１でＹＥＳと判定して、ステップ１９０に進んで、電動ファン５２を停止した状態で電動ファン５０、５１を駆動することにより、室内３の換気を開始する。
【００８７】
具体的には、電動ファン５０は、室外から外気吸気口６０ｂを介して内外気吸入ダクト６０に空気流を吸い込んでこの吸い込んだ空気流（図１中矢印Ａ１参照）を室内吹出口６０ｃから室内３に吹き出す。そして、電動ファン５１は、室内３から内気導入口６１ａを通して内気導入ダクト６１内に矢印Ａ２の如く空気流を吸い込んで内気排気口６１ｂ側に吹き出す。
【００８８】
以上説明した本実施形態によれば、住宅用空調装置１は、室内に向けて流れる空気流を発生させる電動ファン５０と、室内から室外に流れる空気流を発生させる電動ファン５１、５２と、冷媒を吸入して圧縮して吐出する圧縮機１０、熱交換器２０、電動膨張弁３０、および熱交換器４０を備え、圧縮機１０から吐出される冷媒を循環するヒートポンプ装置４とを備える。
【００８９】
電子制御装置８０は、熱交換器２０が圧縮機１０から吐出される冷媒により電動ファン５０により発生される空気流を加熱し、熱交換器４０が電動ファン５１、５２により発生される空気流から吸熱して電動膨張弁３０によって減圧された冷媒を蒸発させる暖房運転を実施する（ステップ１５０）。電子制御装置８０は、圧縮機１０から吐出される冷媒により熱交換器４０の温度を上昇させて熱交換器４０に着いた霜を融かす除霜運転を実施する（ステップ１３０）。
【００９０】
本実施形態では、電子制御装置８０は、熱交換器４０に対して空気流れ下流側の温度が所定温度以下であった場合、除霜運転の開始後に、電動ファン５１、５２の送風を停止させる（ステップ１２１）。このため、除霜運転の開始後に、除霜運転の開始後、水蒸気を含んだ空気流が室内３から熱交換器４０に対して空気流れ下流側に流れることが抑制される。
【００９１】
さらに、電子制御装置８０は、熱交換器４０に対して空気流れ下流側の温度が所定温度以下であった場合、暖房運転の停止後に、ヒートポンプ装置４の運転を停止して電動ファン５１、５２の送風を停止して室内３の換気を停止する（ステップ１８０）。このため、ヒートポンプ装置４の運転の停止後に、水蒸気を含んだ空気流が室内３から熱交換器４０に対して空気流れ下流側に流れることが抑制される。
【００９２】
以上のように、除霜運転の開始後に、或いは、暖房運転の停止後に、水蒸気を含んだ空気流が室内３から熱交換器４０に対して空気流れ下流側に流れることが抑制される。このため、熱交換器４０に対して空気流れ下流側部品において、結露、或いは氷結が生じることが抑制される。これにより、氷が電動ファン５２のファンの回転を妨げたり、氷が第２送風機の排気ダクトの排水路を塞いだりする問題を未然に抑えることができる。
【００９３】
（第２実施形態）
上記第１実施形態では、暖房運転停止後、熱交換器４０に対して空気流れ下流側の温度が所定温度よりも高くなると、室内３の換気を開始した例について説明したが、これに代えて、暖房運転停止後、所定期間経過すると、室内３の換気を開始する第２実施形態について説明する。
【００９４】
本実施形態と上記第１実施形態とは、電子制御装置８０による暖房運転処理が相違するだけで、その他の構成は同一である。このため、本実施形態の電子制御装置８０による暖房運転処理について図４を参照して説明する。
【００９５】
図４は、本実施形態の電子制御装置８０による暖房運転処理を示すフローチャートである。図４のフローチャートは、図１のフローチャートにおいて、ステップ２００、２１０と、ステップ１８１Ａとを追加したものである。
【００９６】
ステップ２００、２１０は、ステップ１３０、１４０の間に配置されているステップであって、ステップ１２１における外気導入停止・換気停止処理が実施された場合にのみ、実施される。つまり、ステップ１２０における外気導入停止処理が実施された場合には、ステップ１３０の実施後、ステップ２００、２１０がスキップされて、ステップ１４０に移行する。
【００９７】
ステップ２００は、除霜運転を継続して実施した時間（以下、除霜運転時間という）が所定時間Ｔｚ以上であるか否かを判定するステップである。ステップ２１０は、ドア７１によって外気吸入ダクト６０の外気出入口６２ｂを閉じて、かつ電動ファン５０、５１、５２を制御して室内３の換気を開始するステップである。
所定時間Ｔｚは、除霜運転の開始後に、熱交換器４０に対して空気流れ下流側の温度が所定温度（例えば、零℃）よりも高くなると想定される時間である。所定時間Ｔｚは、暖房継続時間、暖房運転の実施中の熱交換器４０の温度（若しくは、温度センサ８３によって検出されるダクト６３内の温度）、および暖房運転の実施中の換気風量によって予め決められている。
【００９８】
ここで、暖房継続時間は、除霜運転に先だって暖房運転が継続して実施された時間である。暖房継続時間が長くなるほど、熱交換器４０により冷却された空気流によって排気ダクト６３や電動ファン５２が冷却された時間が長くなることになる。そこで、暖房継続時間が長くなるほど、所定時間Ｔｚを長くする。
【００９９】
暖房運転の実施中の熱交換器４０の温度は、除霜運転に先だって暖房運転が実施されているときの熱交換器４０の温度である。熱交換器４０の温度が低くなるほど、排気ダクト６３や電動ファン５２の温度が低くなる。そこで、熱交換器４０の温度が低くなるほど、所定時間Ｔｚを長くする。本実施形態の熱交換器４０の温度は、熱交換器４０内の冷媒温度を示すものであって、温度センサ８２によって検出される。
【０１００】
暖房運転の実施中の換気風量は、除霜運転に先だって暖房運転が実施されているときの換気風量であって、リモコン８１への操作によって設定される。暖房運転の実施中の換気風量が多くなるほど、室内３からの空気流によって熱交換器４０に対して空気流れ下流側に流れる水蒸気の量が増えるため、熱交換器４０に対して空気流れ下流側にて露が凍結する可能性が高まる。そこで、暖房運転の実施中の換気風量が多いほど、所定時間Ｔｚを長くする。
【０１０１】
本実施形態では、除霜運転時間が所定時間Ｔｚ未満であるとしてステップ２００においてＮＯと判定する。この場合、ステップ１４０に移行して、除霜運転を終了すべきか否かを判定する。このとき、除霜運転を継続すべきであるとして、ステップ１４０でＮＯと判定すると、ステップ２００に戻る。
【０１０２】
このため、ステップ１１０でＹＥＳと判定してから、ステップ１２１で外気導入停止・換気停止処理が実施され、その後ステップ１３０で除霜運転が実施された場合には、ステップ１４０でＮＯと判定され、かつステップ２００においてＮＯと判定されると、室内３の換気が停止された状態が継続される。その後、除霜運転時間が所定時間Ｔｚ以上になるとステップ２００においてＹＥＳと判定する。これに伴い、ステップ２１０で室内３の換気を開始する。その後、ステップ１４０において、除霜運転を終了すべきであるとしてＹＥＳと判定するとステップ１５０に進む。
【０１０３】
また、ステップ１８１Ａは、図１のステップ１８１の代わりに設けられたもので、ステップ１８０でヒートポンプ装置４の運転を停止してから経過した時間（以下、運転停止時間という）が所定時間Ｔｄ以上であるか否かを判定するステップである。暖房停止時間は、暖房運転停止後に、熱交換器４０に対して空気流れ下流側の温度が所定温度（例えば、１５℃）よりも高くなると想定される時間である。暖房停止時間は、暖房継続時間、暖房運転の実施中の熱交換器４０の温度（若しくは、温度センサ８３によって検出されるダクト６３内の温度）、および暖房運転の実施中の換気風量によって予め決められている。
【０１０４】
暖房継続時間は、ステップ１６０でＹＥＳと判定される前に暖房運転が継続して実施された時間である。暖房継続時間が長くなるほど、熱交換器４０により冷却された空気流によって排気ダクト６３や電動ファン５２が冷却された時間が長くなることになる。そこで、暖房継続時間が長くなるほど、所定時間Ｔｄを長くする。
【０１０５】
暖房運転の実施中の熱交換器４０の温度は、ステップ１６０でＹＥＳと判定される前に、暖房運転が実施されているときの熱交換器４０の温度である。熱交換器４０の温度が低くなるほど、排気ダクト６３や電動ファン５２の温度が低くなる。そこで、熱交換器４０の温度（若しくは、ダクト６３内の温度）が低くなるほど、所定時間Ｔｄを長くする。本実施形態の熱交換器４０の温度は、熱交換器４０内の冷媒温度を示すものであって、温度センサ８２によって検出される。
【０１０６】
暖房運転の実施中の換気風量は、ステップ１６０でＹＥＳと判定される前に暖房運転が実施されているときの換気風量であって、リモコン８１への操作によって設定される。暖房運転の実施中の換気風量が多くなるほど、室内３からの空気流によって熱交換器４０に対して空気流れ下流側に流れる水蒸気の量が増えるため、熱交換器４０に対して空気流れ下流側にて露が凍結する可能性が高まる。そこで、暖房運転の実施中の換気風量が多いほど、所定時間Ｔｄを長くする。
【０１０７】
本実施形態では、ステップ１８１Ａにおいて、運転停止時間が所定時間Ｔｄ未満であるときには、ＮＯと判定してステップ１８１Ａに戻る。このため、運転停止時間が所定時間Ｔｄ未満である限り、ステップ１８１ＡのＮＯ判定を繰り返す。このとき、熱交換器４０に対して空気流れ下流側部品には、周囲の空気等から熱が伝わり、熱交換器４０に対して空気流れ下流側部品の温度が上昇する。
【０１０８】
その後、運転停止時間が所定時間Ｔｄ以上になると、ステップ１８１ＡでＹＥＳと判定する。このとき、熱交換器４０に対して空気流れ下流側部品の温度が所定温度（例えば、１５℃）以上になる。その後、ステップ１９０に進んで、上記第１実施形態と同様に、電動ファン５０、５１、５２を制御して室内３の換気を開始する。
【０１０９】
以上説明した本実施形態によれば、電子制御装置８０は、暖房運転を停止後、運転停止期間が所定時間ｔｄ以上経過するまで室内３の換気を停止するように電動ファン５０、５１、５２を制御する。所定時間ｔｄは、暖房運転停止後に、熱交換器４０に対して空気流れ下流側の温度が所定温度（例えば、１５℃）よりも高くなると想定される時間である。このため、運転停止期間が所定時間ｔｄ以上経過した場合に室内３の換気が開始されて、室内３から水蒸気を含んだ空気流が熱交換器４０に対して空気流れ下流側に流れた場合に、熱交換器４０に対して空気流れ下流側部品に結露、氷結が生じることを抑制することができる。
【０１１０】
本実施形態では、電子制御装置８０は、除霜運転の開始後、除霜運転時間が所定時間Ｔｚ以上になるまで、室内３の換気を停止する。所定時間Ｔｚは、除霜運転の開始後に、熱交換器４０に対して空気流れ下流側の温度が所定温度（例えば、零℃）よりも高くなると想定される時間である。このため、室内３の換気が開始されて、室内３から水蒸気を含んだ空気流が熱交換器４０に対して空気流れ下流側に流れた場合に、熱交換器４０に対して空気流れ下流側に結露が生じることを未然に抑制することができる。
【０１１１】
（第３実施形態）
本第３実施形態では、上記第１実施形態において、四方弁９０を追加して四方弁９０によって冷媒の流れを切り替えて、室内３を暖房する暖房運転と熱交換器４０に対して空気流れ下流側部品を暖める暖機運転とを切り替える例について説明する。
【０１１２】
図５に本実施形態の本実施形態の住宅用空調装置１の概略構成を示す。
【０１１３】
本実施形態の住宅用空調装置１は、上記第１実施形態の住宅用空調装置１に対して四方弁９０を追加したものである。四方弁９０は、弁入口９１、弁出口９２、および弁出入口９３、９４を形成し、弁出入口９３、９４のうち一方を弁入口９１に接続し、他方を弁出口９２に接続する弁体と、この弁体を駆動する電動アクチュエータとを備える。
【０１１４】
弁入口９１は、圧縮機１０の冷媒吐出口１０ｂに接続されて圧縮機１０の冷媒吐出口１０ｂから吐出される冷媒が入る入口である。弁出口９２は、圧縮機１０の冷媒吸入口１０ａに接続されて圧縮機１０の冷媒吸入口１０ａに冷媒を流す出口である。弁出入口９４は、熱交換器２０の出入口２０ｃに接続されて冷媒の出口および入口を兼ねる第１弁出入口である。弁出入口９３は、熱交換器４０の出入口４０ｄに接続されて冷媒の出口および入口を兼ねる第２弁出入口である。
【０１１５】
本実施形態の熱交換器２０は、上記第１実施形態の熱交換器２０と同様に構成されたものであって、入口２０ａ、出口２０ｂに代わる出入口２０ｃ、２０ｄを備える第１熱交換器である。出入口２０ｃ、２０ｄは、それぞれ、冷媒の出口および入口を兼ねる。熱交換器４０は、上記第１実施形態の熱交換器４０と同様に構成されたものであって、入口４０ａ、出口４０ｂに代わる出入口４０ｃ、４０ｄを備える第２熱交換器である。出入口４０ｃ、４０ｄは、それぞれ、冷媒の出口および入口を兼ねる。電動膨張弁３０は、熱交換器２０の出入口２０ｄと熱交換器４０の出入口４０ｄとの間に配置されている。
【０１１６】
本実施形態の電子制御装置８０は、四方弁９０の電動アクチュエータを介して弁体を制御して弁出入口９３、９４のうち一方を弁入口９１に接続し、他方を弁出口９２に接続する（図６参照）。
【０１１７】
次に、本実施形態の電子制御装置８０の暖房運転処理について図７を参照して説明する。
【０１１８】
図７は電子制御装置８０の暖房運転処理を示すフローチャートである。図７のフローチャートにおいて、図３のフローチャートと同一のステップは、同一処理を示し、その説明を省略する。
【０１１９】
電子制御装置８０は、図７のフローチャートにしたがって、暖房運転処理を実行する。使用者がリモコン８１に対して暖房運転を開始させるために操作すると、暖房運転処理の実行が開始される。
【０１２０】
まず、ステップ１００において、除霜運転を開始させるべきか否かを判定する。このとき、熱交換器４０の表面温度が所定温度以下であるとき、除霜運転を開始させるべきであるとしてステップ１００でＹＥＳと判定する。これに伴い、次のステップ２２０において、電動圧縮機１０、四方弁９０、および電動膨張弁３０を制御して除霜運転を開始する。
【０１２１】
具体的には、電動アクチュエータを介して弁体を制御して、弁入口９１と弁出入口９３とを接続し、かつ弁出口９２と弁出入口９４とを接続する。このため、電動圧縮機１０は、四方弁９０の出入口９４側から冷媒を吸入して圧縮して吐出する。この吐出された高温高圧冷媒は、四方弁９０の入口９１、出入口９３を通して熱交換器４０に流れる。このため、高温高圧冷媒は、熱交換器４０自体を加熱する。したがって、熱交換器４０の表面に付いた霜が融ける。これに加えて、高温高圧冷媒の熱が熱交換器４０に対して空気流れ下流側部品に伝わる。このため、熱交換器４０に対して空気流れ下流側部品の温度が上昇する。
【０１２２】
この際に、電動膨張弁３０では、弁体が電動アクチュエータによって駆動されて、熱交換器２０、４０の間の冷媒流路の流路断面積を調整して暖房運転の実施時の流路断面積よりも大きくする。
【０１２３】
このとき、熱交換器４０を通過した冷媒は、電動膨張弁３０で暖房運転時よりの少ない量減圧されて熱交換器２０に流れる。熱交換器２０を通過した冷媒は、四方弁９０の出入口９４、出口９２を通して電動圧縮機１０によって吸入される。
【０１２４】
これに加えて、ステップ２２０において、電動ファン５０、５１、５２を停止するともに、ドア駆動用電動モータ７１ａを介してドア７１を制御して外気導入ダクト６２の外気出入口６２ｂを閉じる。これにより、外気導入ダクト６２から熱交換器４０に外気が流れることを停止するとともに、室内３の換気を停止することになる。
【０１２５】
その後、ステップ１４０において、除霜運転を終了すべきか否かを判定する。このとき、熱交換器４０の表面温度が所定温度（例えば、零℃）以下であるとき、除霜運転を継続すべきであるとしてステップ１４０でＮＯと判定して、ステップ１４０に戻る。このため、熱交換器４０の表面温度が所定温度以下である限り、ステップ１４０のＮＯ判定を繰り返す。したがって、熱交換器４０の表面温度が所定温度以下である限り、ステップ２２０における除霜運転の実施・外気導入停止・室内３の換気停止処理が継続される。
【０１２６】
その後、除霜運転によって、熱交換器４０の表面温度が上昇して所定温度（例えば、零℃）よりも高くなると、除霜運転を終了すべきであるとしてステップ１４０でＹＥＳと判定する。
【０１２７】
次に、ステップ１５０に移行して、電動ファン５０、５１、５２を制御するとともに、ドア駆動用電動モータ７１ａを介してドア７１を制御して、外気導入ダクト６２から熱交換器４０に外気が流れることを開始するとともに、室内３の換気を開始する。
【０１２８】
さらに、ステップ１５０において、電動圧縮機１０、四方弁９０、および電動膨張弁３０を制御して暖房運転を除霜運転に代えて開始する。
【０１２９】
具体的には、四方弁９０の電動アクチュエータを介して弁体を制御して、弁入口９１と弁出入口９４とを接続し、かつ弁出口９２と弁出入口９３とを接続する。
【０１３０】
このとき、電動圧縮機１０は、四方弁９０の弁出入口９４側から冷媒を吸入して圧縮して吐出する。この吐出された高温高圧冷媒は、四方弁９０の弁出口９２と弁出入口９３とを介して熱交換器２０に流れる。このため、高温高圧冷媒は、熱交換器２０を通過する空気流を加熱する。この加熱された空気流は温風として室内３に流れる。
【０１３１】
この際に、電動膨張弁３０では、弁体が電動アクチュエータによって駆動されて、熱交換器２０、４０の間の冷媒流路の流路断面積を調整して除霜運転の実施時の流路断面積よりも小さくなる。
【０１３２】
このため、熱交換器２０を通過した冷媒は、電動膨張弁３０で減圧・膨脹して熱交換器４０に流れる。このため、熱交換器４０では、冷媒が空気流から吸熱して蒸発する。すなわち、熱交換器４０では空気流が冷媒により冷却されてこの冷却された空気流が電動ファン５２、および排気口６３ｂから室外に流れる。このとき、熱交換器４０を通過した空気は、熱交換器４０に対して空気流れ下流側部品を冷却する。その後、次のステップ１６０において、暖房運転を停止させるべきか否かを判定する。
【０１３３】
このとき、ステップ１６０において、暖房運転を継続すべきであるとしてＮＯと判定すると、ステップ１００に戻る。このため、ステップ１６０において暖房運転を継続すべきであるとしてＮＯと判定し、かつステップ１００において除霜運転を開始すべきであるとしてＹＥＳと判定する限り、ステップ２２０における除霜運転・外気導入停止・換気停止処理とステップ１５０における外気導入開始・換気開始・暖房運転処理とを交互に繰り返す。
【０１３４】
その後、ステップ１６０において、暖房運転を停止すべきであるとしてＹＥＳと判定すると、次のステップ１７０において、温度センサ８３の出力信号に基づいて、熱交換器４０に対して空気流れ下流側部品の温度が所定温度以下であるか否かを判定する。
【０１３５】
このとき、熱交換器４０に対して空気流れ下流側の温度が所定温度よりも高いときには、ステップ１７０でＮＯと判定して、次のステップ１８２において、電動ファン５０、５１、５２を制御して外気導入ダクト６２から熱交換器４０に外気が流れることを停止する。これに加えて、電動圧縮機１０を停止してヒートポンプ装置４の運転を停止して、ステップ１９０に移行する。
【０１３６】
また、ステップ１７０において、熱交換器４０に対して空気流れ下流側の温度が所定温度以下であるとしてＹＥＳと判定したときには、電動ファン５０、５１を停止し、かつ電動ファン５２を作動させて、室内３の換気を停止した状態で、外気導入ダクト６２から熱交換器４０に流れる外気の流れを発生させる（ステップ１８０Ａ）。
【０１３７】
このとき、電動ファン５０、５１を停止し、かつ電動ファン５２を作動させることにより、内気導入ダクト６１から熱交換器４０に流れる内気が流れることが停止され、さらに電動ファン５２の回転数を暖房運転時よりも小さくして、外気導入ダクト６２から熱交換器４０に流れる外気の流量を減らす。
【０１３８】
これに加えて、ステップ１８０Ａでは、四方弁９０を制御して暖機運転を開始する。暖機運転は、上記ステップ２２０における除霜運転と同じ処理である。このため、四方弁９０では、弁入口９１と弁出入口９３とが接続され、かつ弁出口９２と弁出入口９４とが接続される。このため、電動圧縮機１０は、四方弁９０の出入口９４側から冷媒を吸入して圧縮して吐出する。この吐出された高温高圧冷媒は、四方弁９０の入口９１、出入口９２を通して熱交換器４０に流れる。
【０１３９】
このため、高温高圧冷媒は、熱交換器４０自体を加熱して霜を融かすとともに、熱交換器４０を通過する空気流（すなわち、外気）を加熱する。この加熱された空気流が熱交換器４０に対して空気流れ下流側部品を加熱する。そして、熱交換器４０を通過した冷媒は、電動膨張弁３０を通過して熱交換器２０に流れる。熱交換器２０を通過した冷媒は、四方弁９０の出入口９４、出口９２を通して電動圧縮機１０によって吸入される。
【０１４０】
本実施形態では、熱交換器４０に対して空気流れ下流側の温度（すなわち、温度センサ８３の検出温度）が零℃以上になるように電動ファン５２により送風される送風量が調整されている。ここで、熱交換器４０に対して空気流れ下流側部品を暖機する度合いを一定にするために、外気導入ダクト６２から熱交換器４０に流れる外気の送風量を所定の値にすることが好ましい。
【０１４１】
次に、ステップ１４０Ａにおいて、暖機運転を終了すべきか否かを判定する。具体的には、温度センサ８３の検出温度に基づいて、熱交換器４０に対して空気流れ下流側の温度が所定温度（例えば、零℃）よりも高いか否かを判定する。
【０１４２】
熱交換器４０に対して空気流れ下流側の温度が所定温度以下であるとき、暖機運転を継続すべきであるとしてステップ１４０ＡでＮＯと判定して、ステップ１４０Ａに戻る。このため、熱交換器４０に対して空気流れ下流側の温度が所定温度以下である限り、ステップ１４０ＡのＮＯ判定が繰り返される。これに伴い、外気導入停止・換気停止・暖機運転処理（ステップ１８０Ａ）が繰り返されることになる。
【０１４３】
その後、熱交換器４０に対して空気流れ下流側の温度が所定温度（例えば、零℃）よりも高くなると、ステップ１４０Ａにおいて、暖機運転を停止すべきであるとしてＹＥＳと判定する。
【０１４４】
次に、ステップ１８１において、温度センサ８３の出力信号に基づいて、熱交換器４０に対して空気流れ下流側の温度が所定温度（例えば、１５℃）よりも高いか否かを判定する。
【０１４５】
このとき、熱交換器４０に対して空気流れ下流側の温度が所定温度（例えば、１５℃）未満であるときには、ステップ１８１に戻る。このため、熱交換器４０に対して空気流れ下流側の温度が所定温度（例えば、１５℃）未満であるときには、ステップ１８１のＮＯ判定を繰り返す。
【０１４６】
その後、熱交換器４０に対して空気流れ下流側の温度が所定温度（例えば、１５℃）よりも高くなると、ステップ１８１において、ＹＥＳと判定する。
【０１４７】
すると、ステップ１８０Ｂにおいて、電動圧縮機１０を停止してヒートポンプ装置４の運転を停止する。これに加えて、電動ファン５２を停止して電動ファン５０、５１を駆動することにより、外気導入ダクト６２から熱交換器４０に外気が流れることを停止した状態で、室内３の換気を開始する（ステップ１９０）。
【０１４８】
以上説明した本実施形態によれば、電子制御装置８０は、暖房運転の実施後に、電動圧縮機１０および四方弁９０を制御して熱交換器４０に対して空気流れ下流側部品の温度を上昇させる暖機運転（ステップ１８０Ａ）を実施する。その後、熱交換器４０に対して空気流れ下流側の温度が所定温度（例えば、１５℃）以上になってから、電動圧縮機１０を停止してヒートポンプ装置４を終了させる。このため、その後、室内３の換気を開始して、熱交換器４０に対して空気流れ下流側に露、或いは氷結が生じることを抑制することができる。
【０１４９】
本実施形態では、電子制御装置８０は、電動圧縮機１０および四方弁９０を制御して、暖機運転を実施する際に、室内３の換気を停止する。このため、室内３から水蒸気を含む空気流が熱交換器４０に対して空気流れ下流側に流れることが抑制される。このため、熱交換器４０に対して空気流れ下流側部品に露が生じることが抑制される。よって、熱交換器４０に対して空気流れ下流側部品に氷結が生じる危険性を下げることができる。
【０１５０】
本実施形態では、四方弁９０を備えるヒートポンプ装置４が採用されて、圧縮機１０から四方弁９０を通して熱交換器４０に高温高圧冷媒が流れる。このため、圧縮機１０からの高温高圧冷媒を熱交換器２０および電動膨張弁３０を通して熱交換器４０に流す場合に比べて、高温の冷媒を熱交換器４０に流すことができる。したがって、ステップ１５０において、暖機運転を実施する時間を短くすることができる。これに伴って、室内３の換気を停止する時間を短くすることができる。
【０１５１】
（他の実施形態）
（１）上記第１〜第３実施形態では、本発明の空調装置を住宅用空調装置１とした例について説明したが、これに限らず、室内３を暖房する空調装置であれば、商業施設用空調装置やビル用空調装置、列車用空調装置、自動車用空調装置、など各種の空調装置を本発明の空調装置としてもよい。
（２）上記第１、第２実施形態では、ステップ１２１において、除霜運転の開始後、電動ファン５１、５２の送風を停止した例について説明したが、これに代えて、ステップ１２１において、電動ファン５１、５２の送風量を暖房運転の実施時に比べて低下させてもよい。
【０１５２】
これにより、除霜運転の開始後に、室内３から内気導入ダクト６１および熱交換器４０を通して室外に流れる空気量を暖房運転の実施時に比べて低下させることができる。このため、除霜運転の開始後に、熱交換器４０に対して空気流れ下流側に結露が生じることを抑制することができる。
【０１５３】
同様に、上記第１、第２実施形態では、ステップ１８０において、暖房運転の停止後に、電動ファン５１、５２の送風を停止した例について説明したが、これに代えて、ステップ１８０において、電動ファン５１、５２の送風量を暖房運転の実施時に比べて低下させてもよい。
【０１５４】
これにより、暖房運転の停止後に、室内３から内気導入ダクト６１および熱交換器４０を通して室外に流れる空気量を暖房運転の実施時に比べて低下させることができる。このため、暖房運転の停止後に、熱交換器４０に対して空気流れ下流側に氷結が生じることを抑制することができる。
（３）上記第３実施形態では、ステップ１８０Ａにおいて、暖機運転の実施時にて、室内３の換気を停止した状態で、室外から外気が外気導入ダクト６２を通して熱交換器４０に流れるように電動ファン５０、５１、５２を制御した例について説明したが、これに代えて、次の（ａ）、（ｂ）のようにしてもよぃ。
（ａ）暖機運転の実施時にて、電動ファン５０、５１、５２を停止して、室内３の換気を停止し、かつ外気導入ダクト６２から熱交換器４０に流れる外気が流れることを停止してもよい。
【０１５５】
この場合、ステップ１４０Ａにおいて、温度センサ８３の検出温度に基づいて、熱交換器４０に対して空気流れ下流側の温度が所定温度（例えば、零℃）よりも高いと判定すると、電動ファン５０、５１を停止し、かつ電動ファン５２を作動させてもよい。この場合、室内３の換気を停止した状態で、外気導入ダクト６２から熱交換器４０に流れる外気の流れを発生させる。
【０１５６】
これにより、熱交換器４０は、外気導入ダクト６２から導入される空気流を加熱する。そして、この加熱された空気流が熱交換器４０に対して空気流れ下流側部品を加熱することになる。
（ｂ）ステップ１８０Ａにおいて、暖機運転の実施時にて、電動ファン５１、５２の送風量を暖房運転の実施時に比べて低下させてもよい。
【０１５７】
これにより、暖機運転の実施時に、室内３から内気導入ダクト６１および熱交換器４０を通して室外に流れる空気量を暖房運転の実施時に比べて低下させることができる。このため、暖機運転の実施時に、熱交換器４０に対して空気流れ下流側に氷結が生じることを抑制することができる。
（４）上記第１〜３実施形態では、電動ファン５１、５２を制御して、外気導入ダクト６２から熱交換器４０に流れる外気の風量を制御した例について説明したが、これに代えて、次の様にしてもよい。
【０１５８】
すなわち、図８のように、外気導入ダクト６２のうち外気出入口６２ａ側に電動ファン５３を追加して、電動ファン５３の送風量を制御して外気導入ダクト６２から熱交換器４０に流れる外気の風量を制御してもよい。
（５）上記第１〜３実施形態では、熱交換器４０に対して空気流れ下流側部品の温度を検出するために、熱交換器４０に対して空気流れ下流側に温度センサ８３を配置した例について説明したが、これに代えて、次の（ａ）（ｂ）のようにしてもよい。
（ａ）熱交換器４０の表面温度を検出する温度センサ８２の検出温度に基づいて、熱交換器４０に対して空気流れ下流側部品の温度が推定する。このため、熱交換器４０の表面温度を検出する温度センサ８２の検出温度に基づいて、熱交換器４０に対して空気流れ下流側部品の温度が所定温度以下であるか否かを判定することになる。
（ｂ）熱交換器４０に対して空気流れ上流側に温度センサ８３を配置して、温度センサ８２の検出温度に基づいて、熱交換器４０に対して空気流れ下流側部品の温度が推定する。
【０１５９】
このため、熱交換器４０に対して空気流れ上流側の温度を検出する温度センサ８２の検出温度に基づいて、熱交換器４０に対して空気流れ下流側部品の温度が所定温度以下であるか否かを判定することになる。
（６）上記第１実施形態では、電動圧縮機１０、熱交換器２０、４０、および電動膨張弁３０がヒートポンプ装置４を構成した例について説明したが、これに代えて、上記第３実施形態で説明した四方弁９０を上記第１実施形態のヒートポンプ装置４に組み合わせてもよい。
【０１６０】
つまり、図５に示すように、電動圧縮機１０、熱交換器２０、４０、電動膨張弁３０、および四方弁９０を用いてヒートポンプ装置４を構成する。
【０１６１】
この場合、電子制御装置８０は、暖房運転において、四方弁９０を制御して弁出入口９４と弁入口９１とを接続し、かつ弁出入口９３と弁出口９２とを接続する。
【０１６２】
暖房運転では、熱交換器２０が圧縮機１０から四方弁９０の弁入口９１および弁出入口９４を通して吐出される冷媒により電動ファン５０により発生される空気流を加熱する。電動膨張弁３０が熱交換器２０を通過した冷媒を減圧する。熱交換器４０が電動ファン５１、５２により発生される空気流から吸熱して電動膨張弁３０によって減圧された冷媒を蒸発させる。
【０１６３】
電子制御装置８０は、除霜運転部において、四方弁９０が弁出入口９３と弁入口９１とを接続し、かつ弁出入口９４と弁出口９２とを接続する。除霜運転部では、熱交換器４０が圧縮機１０から四方弁９０の弁入口９１および弁出入口９３を通して吐出される冷媒により熱交換器４０の温度を上昇させて熱交換器４０に着いた霜を融かす。
（７）上記第１実施形態では、電子制御装置８０は、ステップ１２１（或いは、ステップ１８０）にて、電動ファン５１、５２を停止して室外から外気導入ダクト６２を通して熱交換器４０に空気流が流れることを停止した例について説明したが、これに代えて、次のようにしてもよい。
【０１６４】
すなわち、電子制御装置８０は、ステップ１２１（或いは、ステップ１８０）にて、室外から外気導入ダクト６２を通して熱交換器４０に流れる空気量を暖房運転の実施時に比べて低下させるように電動ファン５１、５２を制御する。
【０１６５】
具体的には、電動ファン５１により送風される送風量を送風量Ｓ１とし、電動ファン５２により送風される送風量を送風量Ｓ２とする。電動ファン５２の送風量Ｓ２を電動ファン５１の送風量Ｓ１よりも大きくし（Ｓ２＞Ｓ１）、かつ電動ファン５２の送風量Ｓ２と電動ファン５１の送風量Ｓ１との差分ｄＳ（＝Ｓ２−Ｓ１）を暖房運転の実施時に比べて小さくする。このことにより、室外から外気導入ダクト６２を通して熱交換器４０に流れる外気の空気量を暖房運転の実施時に比べて低下させることができる。
（８）上記第１〜３実施形態では、電子制御装置８０が電動ファン５１、５２を制御して熱交換器４０を通過する空気流を制御した例について説明したが、これに代えて、次のようにしてもよい。
【０１６６】
すなわち、電動ファン５１、５２のうち電動ファン５２のみを採用する。電子制御装置８０が電動ファン５２を作動させると、内気導入ダクト６１からの空気流と外気導入ダクト６２からの空気流とが熱交換器４０に流れる。一方、電子制御装置８０が電動ファン５２を停止させると、内気導入ダクト６１から熱交換器４０に空気流が流れることが停止され、外気導入ダクト６２から熱交換器４０に空気流が流れることが停止される。
（９）上記第３実施形態では、電動ファン５２を停止した状態で、内気導入ダクト６１に流れる送風量を、排気ダクト６３に流れる送風量以上にした例について説明したが、これに代えて、内気導入ダクト６１に流れる送風量を、排気ダクト６３に流れる送風量以上にするならば、電動ファン５２を作動させてもよい。
（１０）上記第１、２実施形態では、ステップ１２０において、室外から外気吸入ダクト６０を介して導入される空気流が熱交換器４０に流れることを停止するために、ドア７１によって内外気吸入ダクト６０の外気出入口６２ｂを閉じる例について説明したが、これに代えて、次のようにしてもよい。
【０１６７】
すなわち、内外気吸入ダクト６０の外気出入口６２ｂを開閉するドア７１が用いられていない住宅用空調装置１を採用する。そして、電子制御装置８０が電動ファン５０、５１を駆動して、電動ファン５２を停止する。このため、電動ファン５０は、室外から外気吸気口６０ｂを介して内外気吸入ダクト６０に空気流を吸い込んでこの吸い込んだ空気流（図１中矢印Ａ１参照）を室内吹出口６０ｃから室内３に吹き出す。
【０１６８】
電動ファン５１は、室内３から内気導入口６１ａを通して内気導入ダクト６１内に矢印Ａ２の如く空気流を吸い込んで内気排気口６１ｂ側に吹き出す。この吹き出された空気流のうち一部は、矢印Ａ３の如く、吸入口６３ａから排気ダクト６３を通して排気口６３ｂから室外に流れる。
【０１６９】
さらに、ダクト６１の内気排気口６１ｂから吹き出される空気流のうち吸入口６３ａの排気ダクト６３に流れる空気流以外の残りの空気流が矢印Ａ４の如く、外気出入口６２ｂを介して外気吸入ダクト６０に流れる。この外気吸入ダクト６０に流れる空気流は、外気出入口６２ａから室外に流れる。
【０１７０】
以上により、室外から外気吸入ダクト６０を介して導入される空気流が熱交換器４０に流れることが停止される。
（１１）上記第３実施形態においても、ステップ１８２において、上記（１０）と同様、ドア７１が用いられていない住宅用空調装置１において、電子制御装置８０が電動ファン５０、５１を駆動して、電動ファン５２を停止することにより、外気吸入ダクト６０を介して導入される空気流が熱交換器４０に流れることを停止してもよい。
（１２）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
（まとめ）
上記１〜３実施形態、および他の実施形態の一部または全部に記載された第１の観点によれば、室内に向けて流れる空気流を発生させる第１送風機と、室内から室外に流れる空気流を発生させる第２送風機と、冷媒を吸入して圧縮して吐出する圧縮機、第１熱交換器、減圧器、および第２熱交換器を備え、圧縮機から吐出される冷媒を循環するヒートポンプ装置と、第１熱交換器が圧縮機から吐出される冷媒により第１送風機により発生される空気流を加熱し、減圧器が第１熱交換器を通過した冷媒を減圧し、第２熱交換器が第２送風機により発生される空気流から吸熱して減圧器によって減圧された冷媒を蒸発させる暖房運転を実施する暖房運転部と、圧縮機から吐出される冷媒により第２熱交換器の温度を上昇させて第２熱交換器に着いた霜を融かす除霜運転を実施する除霜運転部と、除霜運転の開始後、或いは暖房運転の停止後に、第２送風機の送風を停止、或いは第２送風機の送風量を暖房運転の実施時に比べて低下させる排気制御部と、を備える。
【０１７１】
第２の観点によれば、室内からの空気流を吸入する内気吸入口を有し、内気吸入口を介して吸入した空気流を第２熱交換器に向けて導く内気導入ダクトと、室外からの空気流を吸入する外気吸入口を有し、外気吸入口を介して吸入した空気流を第２熱交換器に向けて導く外気導入ダクトと、室外に開口する排気口を有し、第２熱交換器を通過した空気流を排気口に導いて排気口から排出する排気ダクトと、冷媒が内気導入ダクトおよび外気導入ダクトを通過した空気流から吸熱する第２熱交換器と、第２熱交換器側から空気流を吸い込んで、この吸い込んだ空気流を排気口側に吹き出す第２送風機と、室内から内気導入ダクトに導入する空気流を発生される内気導入送風機と、を備え、暖房運転部は、排気ダクトを流れる空気量を内気導入ダクトを流れる空気量よりも大きくして、室外から外気導入ダクトに流れる空気流と室内から内気導入ダクトに流れる空気流とが第２熱交換器に流れるように第２送風機および内気導入送風機を制御し、排気制御部は、除霜運転の開始後、或いは暖房運転の停止後に、室外から外気導入ダクトを通して第２熱交換器に空気流が流れることを停止させるように第２送風機および内気導入送風機を制御する、或いは室外から外気導入ダクトを通して第２熱交換器に流れる空気量を暖房運転の実施時に比べて低下させるように第２送風機および内気導入送風機を制御する。
【０１７２】
これにより、室外から外気導入ダクトを通して第２熱交換器に空気流が流れることを停止、或いは室外から外気導入ダクトを通して第２熱交換器に流れる空気量を暖房運転の実施時に比べて低下させる。このため、第２熱交換器に対して空気流れ下流側部品の温度を上げることができる。
【０１７３】
第３の観点によれば、第２熱交換器に対して空気流れ上流側、および第２熱交換器に対して空気流れ下流側のうち少なくとも一方に配置されて、空気流の温度を検出する温度検出部と、温度検出部により検出される温度に基づいて、第２熱交換器に対して空気流れ下流側の温度が所定温度以下であるか否かを判定する判定部と、を備え、排気制御部は、除霜運転の開始後、或いは暖房運転の停止後に、第２熱交換器に対して空気流れ下流側の温度が所定温度以下であると判定部が判定したとき、第２送風機の送風を停止、或いは第２送風機の送風量を暖房運転の実施時に比べて低下させる。
【０１７４】
これよれば、除霜運転の開始後、或いは暖房運転の停止後に、第２熱交換器に対して空気流れ下流側の温度が所定温度以下であるとき、第２熱交換器に対して空気流れ下流側に結露が生じることが抑制される。このため、第２熱交換器に対して空気流れ下流側において露が凍結することが抑制される。
【０１７５】
第４の観点によれば、第２熱交換器の温度を検出する温度検出部と、温度検出部により検出される温度に基づいて、第２熱交換器に対して空気流れ下流側の温度が所定温度以下であるか否かを判定する判定部と、を備え、排気制御部は、除霜運転の開始後、或いは暖房運転の停止後に、第２熱交換器に対して空気流れ下流側の温度が所定温度以下であると判定部が判定したとき、第２送風機の送風を停止、或いは第２送風機の送風量を暖房運転の実施時に比べて低下させる。
【０１７６】
これよれば、除霜運転の開始後、或いは暖房運転の停止後に、第２熱交換器に対して空気流れ下流側の温度が所定温度以下であるとき、第２熱交換器に対して空気流れ下流側に結露が生じることが抑制される。このため、第２熱交換器に対して空気流れ下流側において露が凍結することが抑制される。
【０１７７】
第５の観点によれば、  排気制御部は、除霜運転の開始後、或いは暖房運転の停止後に、所定期間に亘って、第２送風機の送風を停止、或いは第２送風機の送風量を暖房運転の実施時に比べて低下させる。
【０１７８】
第６の観点によれば、減圧器は、第１熱交換器および第２熱交換器の間の冷媒流路の断面積を調整可能に構成されて、かつ冷媒流路の断面積を調整して冷媒流路を絞ることにより第１熱交換器から第２熱交換器に流れる冷媒を減圧するものであり、除霜運転部は、減圧器を制御して暖房運転部の実施時に比べて冷媒流路の断面積を大きくして、圧縮機から吐出されて第２熱交換器および減圧器を通過した冷媒により第２熱交換器の温度を上昇させて第２熱交換器に着いた霜を融かす除霜運転を実施する。
【０１７９】
第７の観点によれば、冷媒の出口および入口を兼ねる第１出入口および第２出入口を有する第１熱交換器と、冷媒の出口および入口を兼ねる第１出入口および第２出入口を有する第２熱交換器と、圧縮機の冷媒吐出口に接続されて圧縮機の冷媒吐出口から吐出される冷媒が入る弁入口と、圧縮機の冷媒吸入口に接続されて圧縮機の冷媒吸入口に冷媒を流す弁出口と、第１熱交換器の第１出入口に接続されて冷媒の出口および入口を兼ねる第１弁出入口と、第２熱交換器の第１出入口に接続されて冷媒の出口および入口を兼ねる第２弁出入口とを有し、第１弁出入口および第２弁出入口のうちいずれか一方の弁出入口と弁入口とを接続し、他方の弁出入口と弁出口とを接続する四方弁と、第１熱交換器の第２出入口と第２熱交換器の第２出入口との間に配置されている減圧器と、を備え、暖房運転部は、四方弁が第１弁出入口と弁入口とを接続し、かつ第２弁出入口と弁出口とを接続した状態で、第１熱交換器が圧縮機から四方弁の弁入口および第１弁出入口を通して吐出される冷媒により第１送風機により発生される空気流を加熱し、減圧器が第１熱交換器を通過した冷媒を減圧し、第２熱交換器が第２送風機により発生される空気流から吸熱して減圧器によって減圧された冷媒を蒸発させる暖房運転を実施し、除霜運転部は、四方弁が第２弁出入口と弁入口とを接続し、かつ第１弁出入口と弁出口とを接続した状態で、第２熱交換器が圧縮機から四方弁の弁入口および第２弁出入口を通して吐出される冷媒により第２熱交換器の温度を上昇させて第２熱交換器に着いた霜を融かす。
【０１８０】
第８の観点によれば、室内に向けて流れる空気流を発生させる第１送風機と、室内から室外に流れる空気流を発生させる第２送風機と、冷媒を吸入して圧縮して吐出する圧縮機と、冷媒の出口および入口を兼ねる第１出入口および第２出入口を有する第１熱交換器と、冷媒の出口および入口を兼ねる第１出入口（４０ｄ）および第２出入口を有する第２熱交換器と、圧縮機の冷媒吐出口に接続されて圧縮機の冷媒吐出口から吐出される冷媒が入る弁入口と、圧縮機の冷媒吸入口に接続されて圧縮機の冷媒吸入口に冷媒を流す弁出口と、第１熱交換器の第１出入口に接続されて冷媒の出口および入口を兼ねる第１弁出入口と、第２熱交換器の第１出入口に接続されて冷媒の出口および入口を兼ねる第２弁出入口とを有し、第１弁出入口および第２弁出入口のうちいずれか一方の弁出入口と弁入口とを接続し、他方の弁出入口と弁出口とを接続する四方弁と、第１熱交換器の第２出入口と第２熱交換器の第２出入口との間に配置されている減圧器と、四方弁が第１弁出入口と弁入口とを接続し、かつ第２弁出入口と弁出口とを接続した状態で、第１熱交換器が圧縮機から吐出される冷媒により第１送風機により発生される空気流を加熱し、減圧器が第１熱交換器を通過した冷媒を減圧し、第２熱交換器が第２送風機により発生される空気流から吸熱して減圧器によって減圧された冷媒を蒸発させる暖房運転を実施する暖房運転部と、暖房運転の停止後、四方弁が第２弁出入口と弁入口とを接続し、かつ第１弁出入口と弁出口とを接続した状態で、第２熱交換器が圧縮機から吐出される高温冷媒により第２熱交換器に対して空気流れ下流側の温度を上昇させる暖機運転を実施する暖機運転部と、暖機運転の停止後、圧縮機を停止させる運転停止部と、を備える。
【０１８１】
これよれば、暖機運転によって第２熱交換器に対して空気流れ下流側の温度を上昇させてから、暖房運転を終了させる。このため、第２熱交換器に対して空気流れ下流側に露が生じても、その露が凍結することを抑制することができる。
【０１８２】
第９の観点によれば、暖機運転部は、暖機運転を実施する際に、第２送風機の送風を停止、或いは第２送風機の送風量を暖房運転の実施時に比べて低下させる。
【０１８３】
これよれば、除霜運転の開始後、或いは暖房運転の停止後に、水蒸気を含んだ空気流が室内から第２熱交換器に対して空気流れ下流側に流れることが抑制される。したがって、第２熱交換器に対して空気流れ下流側に結露が生じることが抑制される。このため、第２熱交換器に対して空気流れ下流側において露が凍結することが抑制される。
【符号の説明】
【０１８４】
１    住宅用空調装置
３    室内
１０    電動圧縮機、
２０、４０    熱交換器
３０    電動膨張弁
５０、５１、５２    電動ファン
６０    内外気吸入ダクト
６１    内気導入ダクト
６２    外気導入ダクト
６３    排気ダクト
【図１】
0006540551.tif 000002
【図２】
0006540551.tif 000003
【図３】
0006540551.tif 000004
【図４】
0006540551.tif 000005
【図５】
0006540551.tif 000006
【図６】
0006540551.tif 000007
【図７】
0006540551.tif 000008
【図８】
0006540551.tif 000009